(57)【特許請求の範囲】
【請求項１】
並列データ信号を受信し、該並列データ信号を第２クロック信号に基づき他の並列データ信号へと多重化する第１マルチプレクサ回路と、該第１マルチプレクサ回路へ結合され、前記他の並列データ信号を第１クロック信号に基づき直列データ信号へと多重化する第２マルチプレクサ回路と、前記第１クロック信号に基づき前記第２クロック信号を生成する調整回路とを有し、
前記調整回路は、
前記第１クロック信号の反転の位相とマルチプレクサ信号の位相との比較に基づき比較信号を出力するよう構成される位相検出器回路と、
前記位相検出器回路へ結合され、前記比較信号を積分し、該比較信号の積分に基づき制御電圧を出力するよう構成される電荷ポンプ回路と、
前記電荷ポンプ回路へ結合され、前記第１クロック信号の分周されたバージョンである第３クロック信号を受信し、該第３クロック信号を前記制御電圧に基づき遅延させ前記第２クロック信号を生成し、該第２クロック信号を出力するよう構成される遅延回路と、
前記遅延回路及び前記位相検出器回路へ結合され、前記第２クロック信号に基づき複数の入力データ信号を多重化して前記マルチプレクサ信号を出力するよう構成される第３マルチプレクサ回路と
を有する、回路。
【請求項２】
前記遅延回路へ結合され、前記第１クロック信号のクロックレートを分周して前記第３クロック信号を生成する分割器回路を更に有する
請求項１に記載の回路。
【請求項３】
前記分割器回路は、前記第１クロック信号のクロックレートを２で割る、
請求項２に記載の回路。
【請求項４】
前記電荷ポンプ回路へ結合され、前記制御電圧のレベルに基づき前記電荷ポンプ回路を有効及び無効にするよう構成される初期化回路を更に有する
請求項１に記載の回路。
【請求項５】
前記初期化回路は、前記制御電圧を第１閾電圧及び第２閾電圧と比較するよう構成される比較回路を有し、
前記初期化回路は、前記制御電圧が前記第１閾電圧よりも小さいか又は前記第２閾電圧よりも大きいことに応答して、前記電荷ポンプ回路を無効にするよう構成される、
請求項４に記載の回路。
【請求項６】
前記初期化回路は、前記電荷ポンプ回路が無効にされることに応答して、該電荷ポンプ回路の供給電圧の略半分へと前記制御電圧を至らせるよう構成される、
請求項５に記載の回路。
【請求項７】
前記電荷ポンプ回路は、前記電荷ポンプ回路を有効又は無効にするよう構成される前記初期化回路によって制御される少なくとも２つのトランジスタを有する、
請求項４に記載の回路。
【請求項８】
前記遅延回路は、１又はそれ以上のバッファと、該１又はそれ以上のバッファのうちの１つのバッファの出力部へ結合される少なくとも１つの可変キャパシタンスとを有し、
前記少なくとも１つの可変キャパシタンスは、前記１又はそれ以上のバッファの遅延を調整するように前記制御電圧に基づき調整されるよう構成される、
請求項１に記載の回路。
【請求項９】
前記第１クロック信号は、差動第１クロック信号であり、
前記マルチプレクサ信号は、差動マルチプレクサ信号である、
請求項１に記載の回路。
【請求項１０】
前記第１マルチプレクサ回路は、４入力２出力マルチプレクサであって、前記第２クロック信号に基づき前記並列データ信号から第１の第２マルチプレクサ信号及び第２の第２マルチプレクサ信号を含む前記他の並列データ信号を生成し出力するよう構成され、
前記第２マルチプレクサ回路は、２入力１出力マルチプレクサであって、前記第１マルチプレクサ回路へ結合され、前記第１クロック信号に基づき、前記第１の第２マルチプレクサ信号又は前記第２の第２マルチプレクサ信号を選択して前記直列データ信号として出力するよう構成される、
請求項１に記載の回路。
【請求項１１】
前記第３マルチプレクサ回路は、前記第１マルチプレクサ回路のレプリカである、
請求項１０に記載の回路。
【請求項１２】
前記マルチプレクサ信号を生成するよう前記第２クロック信号に基づき選択される前記第３マルチプレクサ回路への第１及び第２の入力データ信号は、論理ロー電圧及び論理ハイ電圧である、
請求項１１に記載の回路。
【請求項１３】
第１マルチプレクサ回路によって、並列データ信号を受信し、該並列データ信号を第２クロック信号に基づき他の並列データ信号へと多重化することと、
前記第１マルチプレクサ回路へ結合された第２マルチプレクサ回路によって、前記他の並列データ信号を第１クロック信号に基づき直列データ信号へと多重化することと、
調整回路によって前記第１クロック信号に基づき前記第２クロック信号を生成することと
を有し、
前記調整回路によって前記第１クロック信号に基づき前記第２クロック信号を生成することは、
前記第１クロック信号の反転の位相とマルチプレクサ信号の位相との比較に基づき比較信号を生成し、
制御電圧を生成するよう前記比較信号を積分し、
前記第１クロック信号の分周されたバージョンである第３クロック信号を前記制御電圧に基づき遅延させ前記第２クロック信号を生成し、
前記第２クロック信号に基づき前記マルチプレクサ信号のために論理ハイ状態又は論理ロー状態を選択する
方法。
【請求項１４】
前記第３クロック信号を生成するよう前記第１クロック信号のクロックレートを分周する
請求項１３に記載の方法。
【請求項１５】
前記第１クロック信号のクロックレートは、２で割られる、
請求項１４に記載の方法。
【請求項１６】
前記制御電圧を第１閾電圧及び第２閾電圧と比較し、前記制御電圧を生成するよう前記比較信号を積分することは、該制御電圧が前記第１閾電圧よりも小さいか又は前記第２閾電圧よりも大きいことに応答して、無効にされる、
請求項１３に記載の方法。
【請求項１７】
前記制御電圧を生成するよう前記比較信号を積分することが無効にされたことに応答して、前記制御電圧を、供給電圧の略半分に設定する
請求項１６に記載の方法。
【請求項１８】
前記第３クロック信号を前記制御電圧に基づき遅延させることは、該第３クロック信号へ適用される遅延を調整するよう前記制御電圧を用いて可変キャパシタンスを調整することを含む、
請求項１３に記載の方法。
【請求項１９】
前記第２クロック信号を並直列変換回路における前記第１マルチプレクサ回路へ供給する
請求項１３に記載の方法。
【請求項２０】
前記マルチプレクサ信号のために前記論理ハイ状態又は前記論理ロー状態を選択することは、前記第１マルチプレクサ回路のレプリカである第３マルチプレクサ回路によって実行される、
請求項１９に記載の方法。
【発明の詳細な説明】
【技術分野】
【０００１】
ここで論じられる実施形態は、信号調整回路に関する。
【背景技術】
【０００２】
データ並直列変換器は、様々な電子デバイスにおいて広く見つけられ得る。データ並直列変換器の機能は、並列データを直列データの対応するストリームに変換することである。データ並直列変換器は集積回路デバイスにおいて時々使用される。このとき、データは、データが電子デバイス内で処理され得るよりも相当に速いレートでデバイスへ又は該デバイスから結合され得る。例えば、集積メモリデバイスでは、データは、データがメモリデバイスにおいて直列に処理され得るレートよりも相当に速いレートでメモリデバイスへ又は該メモリデバイスから結合され得る。そのような場合において、例えば、読み出されたデータは、多数の並列ディジット（例えば、ビット）として、メモリデバイス内のメモリセルのアレイによって提供され得る。そして、並列ディジットは、直列データの対応するストリームへ変換され、直列データポートを通じて出力される。
【０００３】
並直列変換器の設計パラメータは、異なる用途ごとに様々であってよいが、並直列変換器のために考えられ得る２つの設計パラメータは、電力消費量及び動作速度である。動作速度は、読み出されるデータが高データ帯域幅によりメモリデバイスから伝送されることを可能にするために重要であり得る。低電力消費量は、例えば、並直列変換器が、例えばラップトップコンピュータ、タブレット、又は他のモバイル機器などのバッテリ駆動式電子システムにおいて使用される場合など、様々な用途において重要であり得る。
【０００４】
ここで請求される対象は、例えば上述されたもののようないずれかの欠点を解消し、あるいは、そのような環境においてのみ動作する実施形態に制限されない。むしろ、本背景は、ここで記載されるいくつかの実施形態が実施され得る技術分野の一例を説明するためにのみ与えられる。
【発明の概要】
【０００５】
実施形態の態様に従って、回路は、位相検出器回路、電荷ポンプ回路、遅延回路、及びマルチプレクサ回路を有してよい。位相検出器回路は、第１クロック信号の反転の位相とマルチプレクサ信号の位相との比較に基づき比較信号を出力するよう構成されてよい。電荷ポンプ回路は、位相検出器回路へ結合されてよい。電荷ポンプ回路は、比較信号を積分し、該比較信号の積分に基づき制御電圧を出力するよう構成されてよい。遅延回路は、電荷ポンプ回路へ結合されてよい。遅延回路は、第２クロック信号を受信し、該第２クロック信号を制御電圧に基づき遅延させ、該遅延された第２クロック信号を出力するよう構成されてよい。第２クロック信号は、第１クロック信号の分割されたバージョンであってよい。マルチプレクサ回路は、遅延回路及び位相検出器回路へ結合されてよい。マルチプレクサ回路は、遅延された第２クロック信号に基づきマルチプレクサ信号を出力するよう構成されてよい。
【０００６】
実施形態の目的及び利点は、特許請求の範囲において特に指し示されている要素、特徴、及び組み合わせによって少なくとも実現及び達成されるであろう。
【０００７】
前述の概要及び以下の詳細な説明はいずれも、例となり且つ説明のためであり、そして、請求される発明を制限しない点が理解されるべきである。
【図面の簡単な説明】
【０００８】
例となる実施形態は、添付の図面の使用を通じて、更なる限定性及び詳細を持って記載及び説明されるであろう。
【０００９】
【図１】データを直列化するための、例となる回路の図である。
【００１０】
【図２】データを直列化するための、他の例となる回路の図である。
【００１１】
【図３】様々な信号のタイミング図を表す。
【００１２】
【図４】例となる電荷ポンプ回路の図である。
【００１３】
【図５】例となる初期化回路の図である。
【００１４】
【図６】例となる遅延回路の図である。
【００１５】
【図７】並直列変換回路において信号位相を調整する、例となる方法のフローチャートである。
【発明を実施するための形態】
【００１６】
実施形態の態様に従って、回路は、複数のマルチプレクサ回路によりデータを多重データストリームからシリアルデータストリームへと直列化するために開示される。回路は、１つのマルチプレクサ回路へ供給される第１クロック信号の位相を、他のマルチプレクサ回路へ供給される第２クロック信号の位相に対して調整する調整回路を有する。第１クロック信号の位相を調整することによって、データ信号は、他のマルチプレクサ回路によって、より確実にサンプリングされ得る。
【００１７】
本開示の実施形態は、添付の図面を参照して説明される。
【００１８】
図１は、ここで記載される少なくとも一実施形態に従って配置される、データを直列化するための、例となる回路１００の図である。回路１００は、第１マルチプレクサ回路１１０、第２マルチプレクサ回路１２０、及び調整回路１３０を有してよい。第１マルチプレクサ回路１１０は第２マルチプレクサ回路１２０へ結合されてよく、調整回路１３０は第１マルチプレクサ回路１１０へ結合されてよい。
【００１９】
第１マルチプレクサ回路１１０は、ここでは入力端子１１２〜１１５と呼ばれる、第１、第２、第３、及び第４入力端子１１２〜１１５を有してよい。入力端子１１２〜１１５の夫々は、入力データ信号を受信するよう構成されてよい。特に、第１入力端子１１２は第１データ信号を受信してよい。第２入力端子１１３は第２データ信号を受信してよい。第３入力端子１１４は第３データ信号を受信してよい。第４入力端子１１５は第４データ信号を受信してよい。データ信号は、それらが並列に略同じデータレートでデータを供給する点で、並列データ信号であってよい。第１マルチプレクサ回路１１０は、第１及び第２データ信号に基づき、第１結合データ信号を生成するよう構成されてよい。特に、第１マルチプレクサ回路１１０は、調整回路１３０から受信される第２クロック信号の論理ハイ及びローに基づき、第１及び第２データ信号を第１結合データ信号に多重化するよう構成されてよい。例えば、第１結合データ信号は、第１及び第２データ信号からの交互のデータシンボルを織り交ぜることによって形成されてよい。いくつかの実施形態において、第１結合データ信号は、第１及び第２データ信号のデータレートの２倍のデータレートを有してよい。
【００２０】
第１マルチプレクサ回路１１０は更に、第３及び第４データ信号に基づき第２結合データ信号を生成するよう構成されてよい。第１マルチプレクサ回路１１０は、第１結合データ信号の生成に関して記載されたのと同じように、第２結合データ信号を生成してよい。第１及び第２結合データ信号は、それらが並列に略同じデータレートでデータを供給する点で、並列データ信号であってよい。第１及び第２結合データ信号のデータレートは、第２クロック信号のクロックレートと等しいか又は略等しくてよい。第１マルチプレクサ回路１１０は、第２クロック信号に基づき第１及び第２結合データ信号を第２マルチプレクサ回路１２０へ出力してよい。
【００２１】
いくつかの実施形態において、第１マルチプレクサ回路１１０は、データ信号の夫々のための１又はそれ以上のラッチと、４入力２出力マルチプレクサ又は２つの２入力１出力マルチプレクサとを有してよい。他の実施形態では、第１マルチプレクサ回路１１０は、他の又は更なる能動又は受動回路素子を有してよい。
【００２２】
第２マルチプレクサ回路１２０は、第１及び第２結合データ信号を受信するよう構成されてよい。第２マルチプレクサ回路１２０は、第１及び第２結合データ信号に基づき第３結合データ信号を生成するよう構成されてよい。特に、第２マルチプレクサ回路１２０は、第５入力端子１３２で受信される第１クロック信号の論理ハイ及びローに基づき、第１及び第２結合データ信号を第３結合データ信号に多重化するよう構成される。例えば、第３結合データ信号は、第１及び第２結合データ信号からの交互のデータシンボルを織り交ぜることによって形成されてよい。第２マルチプレクサ回路１２０は、出力端子１２２で第３結合データ信号を出力してよい。
【００２３】
調整回路１３０は、第５入力端子１３２で受信される第１クロック信号に基づき第２クロック信号を生成するよう構成されてよい。第２クロック信号は、第１クロック信号のクロックレートの略半分であるクロックレートを有してよい。加えて、調整回路１３０は、第２クロック信号の位相を第１クロック信号の位相に対して調整するよう構成されてよい。特に、調整回路１３０は、第１マルチプレクサ回路１１０が、第１クロック信号のエッジと整列するよう第１及び第２結合データ信号のデータシンボルの略中央のタイミングを調整するように、第２クロック信号の位相を調整するよう構成されてよい。
【００２４】
加えて、調整回路１３０は、回路１００の動作中に、第１及び第２結合データ信号のデータシンボルの略中央と第１クロック信号のエッジとの整列を保つように、第２クロック信号の位相を調整するよう構成されてよい。
【００２５】
例えば、温度、供給電圧、電磁干渉、製造工程変動、又は他の要因における変動に起因して、第１及び第２結合データ信号のデータシンボルの略中央は、第１クロック信号のエッジからずれることがある（スキュー）。例えば、第１マルチプレクサ回路１１０は、上記の１又はそれ以上の要因に起因して、第２クロック信号に関して、それが第１及び第２結合データ信号を出力する場合に、わずかに変わることがある。結果として、第１及び第２クロック信号が第１の組の条件下で動作するよう適切に整列される場合でさえ、第１及び第２結合データ信号のデータシンボルの略中央は、第２の組の条件下では、第１クロック信号のエッジと整列されないことがある。
【００２６】
調整回路１３０は、第１及び第２結合データ信号のデータシンボルの略中央が第１クロック信号のエッジと整列されない場合を検出するよう構成されてよい。第１及び第２結合データ信号のデータシンボルの略中央が第１クロック信号のエッジと整列されないことに応答して、調整回路１３０は、第２クロック信号を調整するよう構成されてよい。第２クロック信号を調整することは、第１マルチプレクサ回路１１０に、第１及び第２結合データ信号のデータシンボルの略中央の位相を調整させ得る。特に、調整回路１３０は、第１マルチプレクサ回路１１０に、第１及び第２結合データ信号のデータシンボルの略中央を第１クロック信号のエッジと整列させるよう、第２クロック信号を調整してよい。そのような及び他の実施形態において、調整回路１３０は、第１及び第２結合データ信号のデータシンボルの略中央を第１クロック信号の立ち上がり又は立ち下がりエッジと整列させるよう、第２クロック信号を調整してよい。
【００２７】
いくつかの実施形態において、第１及び第２結合データ信号のデータシンボルの略中央を第１クロック信号の立ち上がり又は立ち下がりエッジと整列させることは、第３結合データ信号を生成するよう第２マルチプレクサ回路１２０の能力を助けてよい。例えば、第２マルチプレクサ回路１２０は、第１クロック信号の立ち上がり又は立ち下がりエッジで第１及び第２結合データ信号からデータを捕捉することができる１又はそれ以上のラッチ、例えばフリップフロップ、あるいは他の回路素子を有してよい。１００メガヘルツよりも速い信号速度で、第１及び第２結合データ信号のデータシンボルの略中央が第１クロック信号のエッジと適切に整列されない場合に、第２マルチプレクサ回路１２０は、第１及び第２結合データ信号からデータを捕捉できないことがある。結果として、データは、データが直列化される場合に失われ得る。調整回路１３０は、第１及び第２結合データ信号のデータシンボルの略中央が第１クロック信号のエッジと整列するように、第２クロック信号を調整するよう構成されてよい。第１及び第２結合データ信号のデータシンボルの略中央を第１クロック信号のエッジと整列させることは、第１及び第２結合データ信号が第２マルチプレクサ回路１２０によって直列化される場合に失われるデータを低減することができる。
【００２８】
変更、追加、又は削除は、本開示の適用範囲から逸脱することなしに回路１００に対してなされてよい。例えば、いくつかの実施形態において、回路１００は、追加の受動又は能動回路部品を有してよい。他の例として、第１及び第２クロック信号は、シングルエンドのクロック信号、又は差動クロック信号であってよい。代わりに、又は更に、図１に関して論じられるデータ信号は、シングルエンドのデータ信号、又は差動データ信号であってよい。代わりに、又は更に、第１、第２、第３、及び第４データ信号は、他の多重化回路から受信される結合データ信号であってよい。
【００２９】
図２は、ここで記載される少なくとも一実施形態に従って配置される、データを直列化するための、他の例となる回路２００の図である。回路２００は、第１マルチプレクサ回路２１０、第２マルチプレクサ回路２２０、及び調整回路２３０を有してよい。
【００３０】
第１マルチプレクサ回路２１０は、互いに並列である第１、第２、第３、及び第４データ信号を受信するよう構成されてよい。第１マルチプレクサ回路２１０は、第１及び第２データ信号に基づき第１結合データ信号を生成するよう構成されてよい。第１マルチプレクサ回路２１０は更に、第３及び第４データ信号に基づき第２結合データ信号を生成するよう構成されてよい。第１及び第２結合データ信号は並列なデータ信号であってよい。第１及び第２結合データ信号のデータレートは、第２クロック信号のクロックレートと等しいか又は略等しくてよい。第１マルチプレクサ回路２１０は、第２クロック信号に基づき第１及び第２結合データ信号を第２マルチプレクサ回路２２０へ出力してよい。
【００３１】
第２マルチプレクサ回路２２０は、第１及び第２結合データ信号を受信するよう構成されてよい。第２マルチプレクサ回路２２０は、クロック信号端子２３２で受信される第１クロック信号を用いて、第１及び第２結合データ信号に基づき第３結合データ信号を生成するよう構成されてよい。そのような及び他の実施形態において、第２マルチプレクサ回路２２０は、第１クロック信号を用いて、第１及び第２結合データ信号をサンプリングしてよい。第１及び第２結合データ信号のサンプルに基づき、第２マルチプレクサ回路２２０は第３結合データ信号を生成してよい。いくつかの実施形態において、第３結合データ信号は、第１及び第２結合データ信号のデータレートの２倍のデータレートを有してよい。
【００３２】
一般に、調整回路２３０は、第１クロック信号に基づき第２クロック信号を生成するよう構成されてよい。第２クロック信号は、第１クロック信号のクロックレートの略半分であるクロックレートを有してよい。加えて、調整回路２３０は、第２クロック信号の位相を第１クロック信号の位相に対して調整するよう構成されてよい。特に、調整回路２３０は、第１マルチプレクサ回路２１０が第１及び第２結合データ信号の位相を調整し、それにより、第１及び第２結合データ信号のデータシンボルの略中央が第１クロック信号のエッジと整列するまで、第２クロック信号の位相を調整するよう構成されてよい。
【００３３】
図２は、調整回路２３０の例となる実施を表す。調整回路２３０は、分割器回路２４０、位相検出器回路２５０、電荷ポンプ回路２５４、遅延回路２６２、初期化回路２７０、及び第３マルチプレクサ回路２８０を有してよい。
【００３４】
分割器回路２４０は、クロック信号端子２３２へ結合され、第１クロック信号を受信するよう構成されてよい。分割器回路２４０は、第１クロック信号を分割して、分割された第１クロック信号を生成してよい。分割器回路２４０は、分割された第１クロック信号が、第１クロック信号のクロックレートよりも小さいクロックレートを有するように、第１クロック信号を分割してよい。そのような及び他の実施形態において、分割器回路２４０の除数は１よりも大きくてよい。いくつかの実施形態において、分割器回路２４０の除数は２であってよい。結果として、分割された第１クロック信号は、第１クロック信号のクロックレートの半分のクロックレートを有してよい。分割器回路２４０は、分割された第１クロック信号を遅延回路２６２へ供給してよい。
【００３５】
位相検出器回路２５０は、第３マルチプレクサ回路２８０、クロック信号端子２３２、及び電荷ポンプ回路２５４へ結合されてよい。位相検出器回路２５０は、ここでは反転第１クロック信号と呼ばれる、第１クロック信号の反転の位相を、第３マルチプレクサ回路２８０からの出力信号と比較するよう構成されてよい。特に、位相検出器回路２５０は、反転第１クロック信号の立ち上がりエッジを出力信号のエッジと比較してよい。位相検出器回路２５０は、反転第１クロック信号の位相と出力信号の位相との比較に基づき、比較信号を出力してよい。例えば、いくつかの実施形態において、比較信号は、反転第１クロック信号及び出力信号の検出された位相どうしが一致しない場合に論理ハイであってよく、検出された位相どうしが一致する場合に論理ローであってよい。位相検出器回路２５０は、比較信号を電荷ポンプ回路２５４へ供給してよい。
【００３６】
電荷ポンプ回路２５４は、位相検出器回路２５０、初期化回路２７０、及び遅延回路２６２へ結合されてよい。電荷ポンプ回路２５４は、位相検出器回路２５０から比較信号を受信するよう構成されてよい。電荷ポンプ回路２５４は、比較信号を積分して制御電圧を生成するよう構成されてよい。電荷ポンプ回路２５４は、制御電圧を遅延回路２６２へ供給してよい。
【００３７】
初期化回路２７０は、電荷ポンプ回路２５４へ結合されてよい。初期化回路２７０は、電荷ポンプ回路２５４によって生成された制御電圧のレベルに基づき、電荷ポンプ回路２５４を有効及び無効にするよう構成されてよい。例えば、初期化回路２７０は、制御電圧が第１閾値よりも小さいか又は第２閾値よりも大きいことに応答して、電荷ポンプ回路２５４を無効にするよう構成されてよい。電荷ポンプ回路２５４を無効にした後、初期化回路２７０は、制御電圧を第１閾値よりも大きく且つ第２閾値よりも小さくするよう、制御電圧を調整してよい。いくつかの実施形態において、初期化回路２７０は、制御電圧を供給電圧の略５０％であるようにするよう、制御電圧を調整してよい。
【００３８】
制御電圧を調整した後、初期化回路２７０は電荷ポンプ回路２５４を有効にしてよい。電荷ポンプ回路２５４が有効にされる場合に、電荷ポンプ回路２５４は、位相検出器回路２５０からの比較信号に基づき、制御電圧を調整してよい。電荷ポンプ回路２５４が無効にされる場合に、制御電圧は、初期化回路２７０によって決定されてよく、位相検出器回路２５０からの比較信号に基づかなくてよい。
【００３９】
第１及び第２閾値は、電荷ポンプ回路２５４の供給電圧に基づいてよい。例えば、第１閾値は、供給電圧の０から４０パーセントの間にある値であってよい。他の例として、第１閾値は、供給電圧の０から３０パーセント又は０から１５パーセントの間にあってよい。第２閾値は、供給電圧の６０から１００パーセントの間にある値であってよい。他の例として、第２閾値は、供給電圧の７０から１００パーセント又は８５から１００パーセントの間にある値であってよい。
【００４０】
第１及び第２閾値の値は、遅延回路２６２の遅延範囲のサイズに基づいてよい。例えば、遅延回路２６２が、信号に適用され得る異なる遅延の範囲が広いように広い遅延範囲を有する場合に、制御電圧の範囲は広くてよい。制御電圧の範囲が広いことは、第１及び第２閾値が夫々供給電圧の０パーセント及び１００パーセントにより近いことをもたらしてよい。遅延回路２６２が、信号に適用され得る異なる遅延の範囲が狭いように狭い遅延範囲を有する場合に、制御電圧の範囲は狭くてよい。制御電圧の範囲が狭いことは、第１及び第２閾値が夫々供給電圧の５０パーセントにより近いことをもたらしてよい。例えば、遅延回路２６２が、１ナノ秒から１００ナノ秒の間の範囲にある遅延によって信号を遅延させる場合に、第１及び第２閾値は、供給電圧の夫々１０パーセント及び９０パーセントであってよい。対照的に、遅延回路２６２が、２０から５０ナノ秒の間にある遅延によって信号を遅延させる場合に、第１及び第２閾値は、供給電圧の夫々２５パーセント及び７５パーセントであってよい。
【００４１】
遅延回路２６２は、分割器回路２４０、電荷ポンプ回路２５４、第１マルチプレクサ回路２１０、及び第３マルチプレクサ回路２８０へ結合されてよい。遅延回路２６２は、分割器回路２４０からの分割された第１クロック信号と、電荷ポンプ回路２５４からの制御電圧とを受け取るよう構成されてよい。遅延回路２６２は、制御電圧に基づき決定される遅延によって、分割された第１クロック信号を遅延させてよい。例えば、制御電圧が増大する場合に、遅延は増大してよい。制御電圧が低下する場合に、遅延は減少してよく、制御電圧が同じままである場合に、遅延は同じままであってよい。遅延回路２６２は、遅延された分割された第１クロック信号を第２クロック信号として出力してよい。遅延回路２６２は、第２クロック信号を第３マルチプレクサ回路２８０及び第１マルチプレクサ回路２１０へ供給してよい。
【００４２】
上述されたように、遅延回路２６２の遅延の範囲は、回路２００の制御電圧の範囲に作用してよい。いくつかの実施形態において、遅延回路２６２によって信号に適用され得る異なる遅延の範囲を小さくすることは、遅延回路２６２の複雑性及び電力消費量を減らすことができる。加えて、範囲を小さくすることは、遅延回路２６２によって引き起こされる第２クロック信号におけるジッタ及び／又は他のノイズを低減してよい。第２クロック信号におけるジッタ及び／又は他のノイズを低減することは、第１及び第２結合データ信号をサンプリングするよう第２マルチプレクサ回路２２０のためのタイミング窓を大きくしてよい。
【００４３】
第３マルチプレクサ回路２８０は、遅延回路２６２へ及び位相検出器回路２５０へ結合されてよい。第３マルチプレクサ回路２８０は、第２クロック信号を受信するよう構成されてよい。第３マルチプレクサ回路２８０は、第１マルチプレクサ回路２１０のレプリカであってよい。結果として、そのような及び他の実施形態において、第３マルチプレクサ回路２８０は、第１マルチプレクサ回路２１０と類似した又は同じ機能性、設計、回路レイアウト、及び製造工程を有してよい。よって、第３マルチプレクサ回路２８０は、第１マルチプレクサ回路２１０と類似した又は同じ様態において、工程、温度及び供給電圧の変動、並びに他の変動に反応してよい。
【００４４】
第３マルチプレクサ回路２８０は、ここで“入力端子２８２”と呼ばれる、第１、第２、第３、及び第４入力端子２８２ａ、２８２ｂ、２８２ｃ、及び２８２ｄを有してよい。第２及び第４入力端子２８２ｂ及び２８２ｄは、回路２００におけるデータのための論理ハイ以上である電圧を有する第１供給電圧（“ＶＣＣ”）へ結合されてよい。第１及び第３入力端子２８２ａ及び２８２ｃは、調整回路２３０におけるデータのための論理ロー以下である電圧を有する第２供給電圧（“ＶＳＳ”）へ結合されてよい。いくつかの実施形態において、第２供給電圧は接地であってよい。よって、第１及び第３入力端子２８２ａ及び２８２ｃは両方とも論理ローデータ信号を有してよく、第２及び第４入力端子２８２ｂ及び２８２ｄは両方とも論理ハイデータ信号を有してよい。
【００４５】
第３マルチプレクサ回路２８０は、出力信号を生成するよう、第２クロック信号に基づき第１入力端子２８２ａからの論理ローデータ信号を第２入力端子２８２ｂからの論理ハイデータ信号と多重化するよう構成されてよい。そのような及び他の実施形態において、第３及び第４入力端子２８２ｃ及び２８２ｄにおける信号を多重化することによって生成される信号は使用されなくてよい。代わりに、又は更には、第３マルチプレクサ回路２８０は、出力信号を生成するよう、第２クロック信号に基づき、第３入力端子２８２ｃからの論理ローデータ信号を第４入力端子からの論理ハイデータ信号と多重化するよう構成されてよい。そのような及び他の実施形態において、第１及び第２入力端子２８２ａ及び２８２ｂにおける信号を多重化することによって生成される信号は使用されなくてよい。
【００４６】
代わりに、又は更には、出力信号は差動信号であってよい。そのような及び他の実施形態において、差動出力信号の第１信号は、第１入力端子２８２ａからの論理ローデータ信号を第２入力端子２８２ｂからの論理ハイデータ信号と多重化することによって生成されてよい。差動出力信号の第２信号は、第３入力端子２８２ｃからの論理ローデータ信号を第４入力端子からの論理ハイデータ信号と多重化することによって生成されてよい。そのような及び他の実施形態において、第１クロック信号及び第２クロック信号も差動信号であってよい。
【００４７】
第３マルチプレクサ回路２８０によって生成される出力信号は、第１マルチプレクサ回路２１０によって出力される第１及び第２結合データ信号と類似した又は同じ位相及び周波数を有してよい。出力信号は論理ハイ及びロー信号を多重化することによって生成されるので、出力信号は、クロック信号として論理ハイと論理ローとを繰り返す。出力信号は、位相検出器回路２５０へ供給されてよい。
【００４８】
第３マルチプレクサ回路２８０、位相検出器回路２５０、電荷ポンプ回路２５４、及び遅延回路２６２は、出力信号の位相を反転第１クロック信号の位相と一致させる役割を果たすことができる遅延ロックループ（delay-locked-loop）を形成してよい。出力信号の位相が反転第１クロック信号の位相と一致する場合に、出力信号は反転第１クロック信号にロックされてよく、遅延ロックループはロックされてよい。
【００４９】
図３は、出力信号が反転第１クロック信号にロックされる場合の回路２００における種々の信号のタイミング図３００を表す。特に、タイミング図３００は、遅延ロックループがロックされる場合の第１結合データ信号、出力信号、反転第１クロック信号、及び第１クロック信号を表す。表されているように、出力信号及び反転第１クロック信号はロックされ、出力信号は、反転第１クロック信号及び第１クロック信号のクロックレートの２分の１であるクロックレートを有する。
【００５０】
図３のタイミング図３００に関する回路２００の議論が続く。図３のタイミング図３００において、図２の位相検出器回路２５０によって出力される比較信号は、出力信号の立ち上がりエッジが反転第１クロック信号の立ち上がりエッジと一致することから、出力信号の立ち上がりエッジで論理ハイであってよい。比較信号は、出力信号が立ち下がる場合に反転第１クロック信号が立ち上がってよいので、出力信号の立ち下がりエッジで論理ローであってよい。出力信号及び反転第１クロック信号の交互性に起因して、比較信号は、同数の論理ハイ及びローを有してよい。結果として、比較信号が電荷ポンプ回路によって積分される場合に、結果として得られる制御電圧はほとんど安定している。結果として、遅延回路２６２の遅延は保たれてよく、よって、第２クロック信号の位相は同じままであってよい。結果として、出力信号の位相は同じままであってよい。
【００５１】
図３で表されているように、出力信号の位相が反転第１クロック信号の位相にロックされる場合に、第１クロック信号の立ち上がりエッジは、出力信号のエッジ間の周期のほぼ中央で起こってよい。結果として、第１結合データ信号のシンボルの中央は、第１クロック信号のエッジと整列してよい。
【００５２】
出力信号の位相が反転第１クロック信号の位相にロックされない場合に、位相検出器回路２５０によって出力される比較信号は、より多くの論理ハイ又はより多くの論理ローを有してよい。結果として、比較信号は、電荷ポンプ回路２５４によって積分される場合に、制御電圧に変化を生じさせ得る。制御電圧の変化は、遅延回路２６２によって分割された第１クロック信号へ適用される遅延を調整してよい。従って、第２クロック信号の位相は変化してよい。第２クロック信号の位相の変化は、いつ第３マルチプレクサ回路２８０が出力信号を出力するかを調整してよく、それによって、出力信号の位相を調整する。調整回路２３０は、出力信号の位相が反転第１クロック信号の位相にロックするまで、上述されたように動作してよい。
【００５３】
変更、追加、又は削除は、本開示の適用範囲から逸脱することなしに回路２００に対してなされてよい。例えば、いくつかの実施形態において、回路２００は、更なる受動又は能動回路部品を有してよい。
【００５４】
図４は、ここで記載される少なくとも一実施形態に従って配置される、例となる電荷ポンプ回路４００（“回路４００”）の図である。回路は、図２の電荷ポンプ回路２５４の例となる実施であってよい。
【００５５】
回路４００は、ここでは“ＯＲゲート回路４１０”と呼ばれる、第１及び第２ＯＲゲート回路４１０ａ及び４１０ｂと、インバータ回路４１２と、ここでは“ｐ型トランジスタ４２０”と呼ばれる、第１、第２、及び第３ｐ型トランジスタ４２０ａ、４２０ｂ、及び４２０ｃと、ここでは“ｎ型トランジスタ４２２”と呼ばれる、第１、第２、及び第３ｎ型トランジスタ４２２ａ、４２２ｂ、及び４２２ｃと、キャパシタンス４６０と、第１、第２、第３、第４、及び第５入力端子４３０、４３２、４４０、４４２、及び４５０と、出力端子４７０とを有してよい。
【００５６】
ｎ型トランジスタ４２２及びｐ型トランジスタ４２０の夫々は、ゲート端子、ソース端子、及びドレイン端子を有してよい。図４で表されているように、ソース端子は矢印を伴う端子であってよく、ゲート端子は平行な横線を伴う端子であってよく、ドレイン端子は残りの端子であってよい。
【００５７】
ｐ型トランジスタ４２０は、ＶＣＣと出力端子４７０との間に結合されてよい。ｐ型トランジスタ４２０の全てのゲートが論理ローに、又はｐ型トランジスタ４２０が導通するための電圧より下に保たれる場合は、ｐ型トランジスタ４２０は、出力端子４７０をＶＣＣに結合してよい。ｐ型トランジスタ４２０の１又はそれ以上のゲートが論理ハイに保たれる場合に、１又はそれ以上のｐ型トランジスタ４２０は導通することができず、高インピーダンス状態を出力端子４７０に示してよい。
【００５８】
ｎ型トランジスタ４２２は、ＶＳＳと出力端子４７０との間に結合されてよい。ｎ型トランジスタ４２２の全てのゲートが論理ハイに、又はｎ型トランジスタ４２２が導通するための電圧より上に保たれる場合は、ｎ型トランジスタ４２２は、出力端子４７０をＶＳＳに結合してよい。ｎ型トランジスタ４２２の１又はそれ以上のゲートが論理ローに保たれる場合に、１又はそれ以上のｎ型トランジスタ４２２は導通することができず、高インピーダンス状態を出力端子４７０に示してよい。
【００５９】
ＯＲゲート回路４１０は、第１及び第２入力端子４３０及び４３２へ結合されてよい。ＯＲゲート回路４１０は更に、第１及び第２入力端子４３０及び４３２を介して第１及び第２制御信号を受信するよう構成されてよい。第１及び第２制御信号は、例えば図２の初期化回路２７０又は図５の初期化回路５００などの初期化回路２７０から供給されてよい。第１及び第２制御信号は、論理ハイ又は論理ローのいずれかであってよい。ＯＲゲート回路４１０は、第１及び第２制御信号の両方が論理ローである場合に論理ローを出力するよう構成されてよい。第１及び第２制御信号のいずれか一方又は両方が論理ハイである場合に、ＯＲゲート回路４１０は論理ハイを出力してよい。
【００６０】
第１ＯＲゲート回路４１０ａの出力部は、第１ｐ型トランジスタ４２０ａのゲートへ結合されてよい。第１ＯＲゲート回路４１０ａによって出力される論理ハイは、第１ｐ型トランジスタ４２０ａを非導通にしてよい。よって、ｐ型トランジスタ４２０は高インピーダンス状態を出力端子４７０に示してよい。
【００６１】
第２ＯＲゲート回路４１０ｂの出力部は、インバータ回路４１２の入力部へ結合されてよい。インバータ回路４１２の出力部は、ｎ型トランジスタ４２２ｃのゲートへ結合されてよい。第２ＯＲゲート回路４１０ｂによって出力される論理ハイは、インバータ回路４１２によって反転されて論理ローになってよく、第３ｎ型トランジスタ４２２ｃを非導通にしてよい。よって、ｎ型トランジスタ４２２は高インピーダンス状態を出力端子４７０に示してよい。
【００６２】
第３及び第４入力端子４４０及び４４２は、各自の第１及び第２基準電圧へ結合されてよい。いくつかの実施形態において、回路４００は、基準電圧を生成するよう１又はそれ以上の回路を設けてよい。基準電圧は、電力が回路４００へ供給される場合に生成されてよい。第１基準電圧は、第３ｐ型トランジスタ４２０ｃを導通させてよい。第２基準電圧は、第１ｎ型トランジスタ４２２ａを導通させてよい。
【００６３】
第５入力端子４５０は、第２ｐ型トランジスタ４２０ｂ及び第２ｎ型トランジスタ４２２ｂのゲートへ結合されてよい。第５入力端子４５０は、例えば図２の位相検出器回路２５０などの位相検出器回路から比較信号を受信するよう構成されてよい。比較信号は論理ハイ又は論理ローであってよい。比較信号が論理ローである場合に、第２ｐ型トランジスタ４２０ｂは導通してよく、第２ｎ型トランジスタ４２２ｂは非導通であってよい。比較信号が論理ハイである場合に、第２ｐ型トランジスタ４２０ｂは非導通であってよく、第２ｎ型トランジスタ４２２ｂは導通してよい。
【００６４】
第１及び第２基準電圧が供給されており、第１及び第２制御信号が論理ローである場合に、回路４００は有効にされてよく、比較信号に基づき出力端子４７０において制御電圧を生成してよい。そのような及び他の実施形態において、比較信号がローである場合に、電流は、ｐ型トランジスタ４２０を通じて出力端子４７０へ供給され、キャパシタンス４６０に蓄えられ、それによって、出力端子４７０において出力される制御電圧を生成してよい。比較信号がハイである場合に、電流は、ｎ型トランジスタ４２２を通じてキャパシタンス４６０から引き込まれ、それによって、制御電圧を低下させてよい。
【００６５】
制御信号のいずれか一方又は両方が論理ハイであり、且つ／あるいは、基準電圧が変化する場合に、回路４００は無効にされてよい。結果として、比較信号の変化は、制御電圧の変化を生じさせ得ない。いくつかの実施形態において、他の回路が制御電圧を調整するために使用されてよい。例えば、例えば図２及び図５の初期化回路２７０及び５００などの初期化回路は、制御電圧を調整するために使用されてよい。
【００６６】
変更、追加、又は削除は、本開示の適用範囲から逸脱することなしに回路４００に対してなされてよい。例えば、いくつかの実施形態において、回路４００は、更なる受動又は能動回路部品を有してよい。他の例として、回路４００は、基準電圧を生成するための回路を有してよい。
【００６７】
図５は、ここで記載される少なくとも一実施形態に従って配置される、例となる初期化回路５００（“回路５００”）の図である。回路５００は、図２の初期化回路２７０の例となる実施であってよい。回路５００は、第１及び第２コンパレータ回路５１０ａ及び５１０ｂと、第１及び第２ＯＲゲート回路５２０及び５４０と、遅延回路５３０と、バッファ回路５３４と、インバータ回路５４２と、第１及び第２トランジスタ５５０及び５５２と、第１及び第２抵抗５５４及び５５６を有してよい。
【００６８】
第１及び第２トランジスタ５５０及び５５２の夫々は、ゲート端子、ソース端子、及びドレイン端子を有してよい。図５で表されているように、ソース端子は矢印を伴う端子であってよく、ゲート端子は平行な横線を伴う端子であってよく、ドレイン端子は残りの端子であってよい。
【００６９】
第１コンパレータ回路５１０ａは、正及び負の入力端子を有してよい。正入力端子は、例えば図２の電荷ポンプ回路２５４又は図４の電荷ポンプ回路４００などの、制御電圧を供給する電荷ポンプ回路の出力部へ結合される第１出力端子５３２へ結合されてよい。結果として、正入力端子は制御電圧を受けてよい。負入力端子は、第１基準電圧を受けるよう構成される第１入力端子５６０へ結合されてよい。第１基準電圧の値は、図２に関して記載された第１閾値の値と同じように決定されてよい。
【００７０】
制御電圧が第１基準電圧よりも大きい場合に、第１コンパレータ回路５１０ａは論理ハイを出力してよい。制御電圧が第１基準電圧よりも小さい場合に、第１コンパレータ回路５１０ａは論理ローを出力してよい。第１コンパレータ回路５１０ａの出力は、第１ＯＲゲート回路５２０へ供給されてよい。
【００７１】
第２コンパレータ回路５１０ｂは、正及び負の入力端子を有してよい。正入力端子は、第２基準電圧を受けるよう構成される第２入力端子５６２へ結合されてよい。第２基準電圧の値は、図２に関して記載された第２閾値の値と同じように決定されてよい。負入力端子は、第１出力端子５３２へ結合されてよい。結果として、負入力端子は制御電圧を受けてよい。
【００７２】
制御電圧が第２基準電圧よりも大きい場合に、第２コンパレータ回路５１０ｂは論理ローを出力してよい。制御電圧が第２基準電圧よりも小さい場合に、第２コンパレータ回路５１０ｂは論理ハイを出力してよい。第２コンパレータ回路５１０ｂの出力は、第１ＯＲゲート回路５２０へ供給されてよい。
【００７３】
第１ＯＲゲート回路５２０は、第１及び第２コンパレータ回路５１０ａ及び５１０ｂの出力を受け、第１及び第２コンパレータ回路５１０ａ及び５１０ｂの出力に基づき第１制御信号を生成してよい。第１制御信号は、第１及び第２コンパレータ回路５１０ａ及び５１０ｂの出力のいずれか一方が論理ハイである場合に論理ハイであってよい。第１ＯＲゲート回路５２０は、第１制御信号を遅延回路５３０、第２ＯＲゲート回路５４０、及び第２出力端子５２２へ供給してよい。
【００７４】
第２出力端子５２２は、例えば図２の電荷ポンプ回路２５４又は図４の電荷ポンプ回路４００などの電荷ポンプ回路へ第１制御信号を供給するよう構成されてよい。第１制御信号が論理ハイである場合に、第１制御信号は電荷ポンプ回路を無効にしてよい。
【００７５】
遅延回路５３０は、第１制御信号を遅延させ、遅延された第１制御信号を出力するよう構成されてよい。遅延回路５３０の遅延の量は、第１及び第２基準電圧の値と、制御電圧のための特定電圧とに基づいてよい。特に、遅延回路５３０の遅延の量は、第１及び第２基準電圧の値と制御電圧のための特定電圧との間の電圧差に基づいてよく、どれくらい回路５００が制御電圧を調整するのにかかるかは、その電圧差の量に基づいてよい。遅延回路５３０は、遅延された第１制御信号を第２ＯＲゲート回路５４０及びバッファ回路５３４へ供給してよい。
【００７６】
バッファ回路５３４は、遅延された制御信号を受信し、第２制御信号を出力してよい。第２制御信号は、第３出力端子５３６において出力されてよい。第３出力端子５３６は、例えば図２の電荷ポンプ回路２５４又は図４の電荷ポンプ回路４００などの電荷ポンプ回路へ第２制御信号を供給するよう構成されてよい。第２制御信号が論理ハイである場合に、第２制御信号は電荷ポンプ回路を無効にしてよい。
【００７７】
第２ＯＲゲート回路５４０は、第１制御信号及び遅延された第１制御信号を受信し、第１制御信号及び遅延された第１制御信号に基づき第３制御信号を生成してよい。第３制御信号は、第１制御信号及び遅延された第１制御信号のいずれか一方が論理ハイである場合に論理ハイであってよい。
【００７８】
第１ＯＲゲート回路５２０は、第３制御信号を第２トランジスタ５５２のゲートへ及びインバータ回路５４２へ供給してよい。第３制御信号が論理ハイである場合に、第３制御信号は、第２トランジスタ５５２を導通させてよい。第２トランジスタ５５２のソースはＶＳＳへ結合されてよい。第２トランジスタ５５２のドレインは第２抵抗５５６へ結合されてよい。第２抵抗５５６は第１出力端子５３２へ結合されてよい。
【００７９】
インバータ回路５４２は、第３制御信号を反転させ、そして、第３制御信号を第１トランジスタ５５０のゲートへ供給してよい。反転される第３制御信号が論理ハイである場合に、反転される第３制御信号は、第１トランジスタ５５０を導通させてよい。第１トランジスタ５５０のソースはＶＣＣへ結合されてよい。第１トランジスタ５５０のドレインは第１抵抗５５４へ結合されてよい。第１抵抗５５４は第１出力端子５３２へ結合されてよい。
【００８０】
回路５００の例となる説明が続く。第１基準電圧はＶＣＣの７５パーセントであり、第２基準電圧はＶＣＣの２５パーセントであるとする。加えて、例えば図２の電荷ポンプ回路２５４又は図４の電荷ポンプ回路４００などの電荷ポンプ回路によって出力され、そして回路５００へ結合される制御電圧は、ＶＣＣの２０パーセントであるとする。第２コンパレータ回路５１０ｂは、制御電圧を第２基準電圧と比較し、制御電圧が第２基準電圧よりも小さいと判断してよい。第２コンパレータ回路５１０ｂは、論理ハイを第１ＯＲゲート回路５２０へ出力してよい。論理ハイを受け取ることに応答して、第１ＯＲゲート回路５２０は、論理ハイを持った第１制御信号を出力してよい。第１制御信号は、電荷ポンプ回路へ送られ、電荷ポンプ回路を無効にしてよく、それにより、電荷ポンプ回路は、制御電圧を変更するようもはや電荷を供給又は除去しない。
【００８１】
第１制御信号は、遅延回路５３０及び第２ＯＲゲート回路５４０へ供給されてよい。遅延回路５３０は、第２制御信号が論理ローであるように、ある期間に論理ローを出力し続けてよい。第２ＯＲゲート回路５４０は、第１及び第２トランジスタ５５０及び５５２を導通させることができる論理ハイを出力してよい。第１及び第２トランジスタ５５０及び５５２が導通することに応答して、電流は第１及び第２抵抗５５４及び５５６を流れてよく、それにより、電圧が第１出力端子５３２において現れる。第１出力端子５３２における電圧は、制御電圧のレベルを引き上げ始めてよい。制御電圧がＶＣＣの２５パーセントに達した後、第２コンパレータ回路５１０ｂは論理ローを出力してよく、第１コンパレータ回路５１０ａは論理ローを出力してよい。結果として、第１ＯＲゲート回路５２０は、論理ローを持った第１制御信号を出力してよい。この時点で、しかしながら、遅延回路５３０によって出力される第２制御信号は、第１ＯＲゲート回路５２０によって以前に出力されたように論理ハイであってよい。論理ハイにある第２制御信号は、電荷ポンプ回路が無効にされたままであることをもたらしてよい。加えて、論理ハイにある第２制御信号は、第１及び第２トランジスタ５５０及び５５２が導通し続けることをもたらしてよい。よって、制御電圧は、第２基準電圧を過ぎて、第１及び第２抵抗５５４及び５５６の値に基づく電圧へと引き上げられ続けてよい。この例において、遅延回路５３０の遅延は、第１及び第２抵抗によって生成された電圧が、制御電圧を、第２基準電圧を過ぎて、特定の電圧、又は第１及び第２抵抗５５４及び５５６によって生成される電圧へ引き上げることを可能にするほど十分であってよい。いくつかの実施形態において、特定の電圧及び／又は第１及び第２抵抗５５４及び５５６の値に基づく電圧は、ＶＣＣの５０パーセントであってよい。そのような及び他の実施形態において、第１及び第２抵抗５５４及び５５６の値は同じであってよい。
【００８２】
変更、追加、又は削除は、本開示の適用範囲から逸脱することなしに回路５００に対してなされてよい。例えば、いくつかの実施形態において、回路５００は、更なる受動又は能動回路部品を有してよい。
【００８３】
図４及び５において、表されているトランジスタは、金属酸化膜半導体電界効果トランジスタ（ＭＯＳＦＥＴ）トランジスタとして表されている。上記の説明は、トランジスタの種々の端子を表すために用語ゲート、ソース、及びドレインを使用している。名称ゲート、ソース、及びドレインの使用は、ＭＯＳＦＥＴトランジスタ、又は例えばバイポーラ接合トランジスタ（ＢＪＴ）、接合ゲート電界効果トランジスタ（ＪＦＥＴ）、及び絶縁ゲートバイポーラトランジスタなどの他のタイプのトランジスタの端子を一般に記載するために使用されることがある。加えて、いくつかの実施形態において、ｎ型及びｐ型トランジスタの何らかの組み合わせは、表されている以外にも使用されてよい。
【００８４】
図６は、ここで記載される少なくとも一実施形態に従って配置される、例となる遅延回路（“回路６００”）の図である。回路６００は、第１入力端子６０２と、第２入力端子６０６と、出力端子６０４と、ここでは“バッファ回路６１０”と呼ばれる、第１、第２、第３、及び第４バッファ回路６１０ａ、６１０ｂ、６１０ｃ、及び６１０ｄと、ここでは“可変キャパシタンス回路６２０”と呼ばれる、第１、第２、及び第３可変キャパシタンス回路６２０ａ、６２０ｂ、及び６２０ｃとを有してよい。バッファ回路６１０の夫々は、入力端子及び出力端子を有してよい。
【００８５】
第１入力端子６０２は、第１バッファ回路６１０ａの入力端子へ結合されてよい。第１バッファ回路６１０ａの出力端子は、第２バッファ回路６１０ｂの入力端子へ結合されてよい。第２バッファ回路６１０ｂの出力端子は、第３バッファ回路６１０ｃの入力端子へ結合されてよい。第３バッファ回路６１０ｃの出力端子は、第４バッファ回路６１０ｄの入力端子へ結合されてよい。第４バッファ回路６１０ｄの出力端子は、出力端子６０４へ結合されてよい。第１可変キャパシタンス回路６２０ａは、ＶＳＳと、第２バッファ回路６１０ｂの出力端子及び第３バッファ回路６１０ｃの入力端子との間に結合されてよい。第２可変キャパシタンス回路６２０ｂは、ＶＳＳと、第３バッファ回路６１０ｃの出力端子及び第４バッファ回路６１０ｄの入力端子との間に結合されてよい。第３可変キャパシタンス回路６２０ｃは、出力端子６０４とＶＳＳとの間に結合されてよい。
【００８６】
可変キャパシタンス回路６２０の夫々は、第２入力端子６０６へ結合されてよい。第２入力端子６０６は、例えば図２の電荷ポンプ回路２５４又は図４の電荷ポンプ回路４００によって生成される制御電圧などの制御電圧を受けるよう構成されてよい。制御電圧は、可変キャパシタンス回路６２０の可変キャパシタンスを調整してよい。バッファ回路６１０の夫々によって見られるキャパシタンスの量は、バッファ回路６１０の夫々による遅延を調整してよい。可変キャパシタンス回路６２０のキャパシタンスを調整することは、バッファ回路６１０によって見られるキャパシタンスを調整し、それにより回路６００の遅延を調整してよい。回路６００の遅延を調整することは、第１入力端子６０２から出力端子６０４へバッファ回路６１０を介して回路６００を通る信号の遅延を調整してよい。
【００８７】
変更、追加、又は削除は、本開示の適用範囲から逸脱することなしに回路６００に対してなされてよい。例えば、いくつかの実施形態において、回路６００は、更なる受動又は能動回路部品を有してよい。他の例として、回路６００は、より多い又はより少ないバッファ回路６１０、より多い又はより少ない可変キャパシタンス回路６２０、あるいは、それらの何らかの組み合わせを有してよい。そのような及び他の実施形態において、バッファ回路６１０の数及び可変キャパシタンス回路６２０の数は、回路６００が実装される回路によって使用され得る遅延の範囲に基づき選択されてよい。
【００８８】
図７は、ここで記載される少なくとも一実施形態に従って配置される、並直列変換回路において信号位相を調整する例となる方法７００のフローチャートである。方法７００は、いくつかの実施形態において、例えば、図１の回路１００又は図２の回路２００などの回路によって実装されてよい。別個のブロックとして表されているとしても、様々なブロックは、所望の実施に依存して、更なるブロックに分けられても、より少ないブロックへとまとめられても、あるいは、削除されてもよい。
【００８９】
方法７００はブロック７０２から開始してよく、ブロック７０２で、比較信号は、第１クロック信号の反転の位相とマルチプレクサ信号の位相との比較に基づき生成されてよい。ブロック７０４で、比較信号は、制御電圧を生成するために積分されてよい。
【００９０】
ブロック７０６で、第２クロック信号は、制御電圧に基づき遅延されてよい。第２クロック信号は、第１クロック信号の分割されたバージョンであってよい。いくつかの実施形態において、制御電圧に基づき第２クロック信号を遅延させることは、第２クロック信号に適用される遅延を調整するよう制御電圧を用いて可変キャパシタンスを調整することを含んでよい。
【００９１】
ブロック７０８で、論理ハイ状態又は論理ロー状態は、遅延された第２クロック信号に基づきマルチプレクサ信号のために選択されてよい。
【００９２】
当業者に明らかなように、ここで開示されるこの及び他のプロセス及び方法について、プロセス及び方法において実行される機能は、異なる順序において実装されてよい。加えて、概説されているステップ及び動作は、単に例として与えられており、ステップ及び動作のいくつは、開示される実施形態の本質から逸脱することなしに、任意であっても、より少ないステップ及び動作にまとめられても、あるいは、更なるステップ及び方法へと拡大されてもよい。
【００９３】
例えば、いくつかの実施形態において、方法７００は、第２クロック信号を生成するよう第１クロック信号を分割することを更に含んでよい。いくつかの実施形態において、第１クロック信号は２によって割られてよい。
【００９４】
いくつかの実施形態において、方法７００は、制御電圧を第１及び第２閾電圧と比較することを更に含んでよい。いくつかの実施形態において、制御電圧は、制御電圧が第１閾電圧よりも大きく且つ第２閾電圧よりも小さいことに応答して、比較信号に基づき生成されてよい。そのような及び他の実施形態において、方法７００は、制御電圧が第１閾電圧よりも小さいか又は第２閾電圧よりも大きいことに応答して、制御電圧を供給電圧のほぼ２分の１に設定することを更に含んでよい。
【００９５】
いくつかの実施形態において、方法７００は、遅延された第２クロック信号を並直列変換回路における第１マルチプレクサ回路へ供給することを更に含んでよい。そのような及び他の実施形態において、マルチプレクサ信号のために論理ハイ状態又は論理ロー状態を選択することは、第１マルチプレクサ回路のレプリカである第２マルチプレクサ回路によって実行されてよい。
【００９６】
対象は、構造的特徴及び／又は方法的動作に特有の言語において記載されてきたが、添付の特許請求の範囲において定義される対象は、必ずしも、上記の具体的な特徴又は動作に制限されない点が理解されるべきである。むしろ、上記の具体的な特徴又は動作は、特許請求の範囲を実施する為の例となる形態として開示されている。
【００９７】
ここで挙げられている全ての例及び条件付き言語は、当該技術を促進すること２発目医者によって寄与される概念及び発明を読む者が理解することを助ける教育的な目的として意図されており、そのような具体的に挙げられている例及び条件に制限されないものとして解釈されるべきである。本発明の実施形態は詳細に記載されてきたが、様々な変更、置換、及び代替が、発明の主旨及び適用範囲から逸脱することなしにそれらになされてよい点が理解されるべきである。
【００９８】
上記の実施形態に加えて、以下の付記を開示する。
（付記１）
第１クロック信号の反転の位相とマルチプレクサ信号の位相との比較に基づき比較信号を出力するよう構成される位相検出器回路と、
前記位相検出器回路へ結合され、前記比較信号を積分し、該比較信号の積分に基づき制御電圧を出力するよう構成される電荷ポンプ回路と、
前記電荷ポンプ回路へ結合され、前記第１クロック信号の分割されたバージョンである第２クロック信号を受信し、該第２クロック信号を前記制御電圧に基づき遅延させ、該遅延された第２クロック信号を出力するよう構成される遅延回路と、
前記遅延回路及び前記位相検出器回路へ結合され、前記遅延された第２クロック信号に基づき前記マルチプレクサ信号を出力するよう構成されるマルチプレクサ回路と
を有する回路。
（付記２）
前記遅延回路へ結合され、前記第１クロック信号を分割して前記第２クロック信号を生成する分割器回路を更に有する
付記１に記載の回路。
（付記３）
前記分割器回路は、前記第１クロック信号を２で割る、
付記２に記載の回路。
（付記４）
前記電荷ポンプ回路へ結合され、前記制御電圧のレベルに基づき前記電荷ポンプ回路を有効及び無効にするよう構成される初期化回路を更に有する
付記１に記載の回路。
（付記５）
前記初期化回路は、前記制御電圧を第１閾電圧及び第２閾電圧と比較するよう構成される比較回路を有し、
前記初期化回路は、前記制御電圧が前記第１閾電圧よりも小さいか又は前記第２閾電圧よりも大きいことに応答して、前記電荷ポンプ回路を無効にするよう構成される、
付記４に記載の回路。
（付記６）
前記初期化回路は、前記電荷ポンプ回路が無効にされることに応答して、該電荷ポンプ回路の供給電圧の略半分へと前記制御電圧を至らせるよう構成される、
付記５に記載の回路。
（付記７）
前記電荷ポンプ回路は、前記電荷ポンプ回路を有効又は無効にするよう構成される前記初期化回路によって制御される少なくとも２つのトランジスタを有する、
付記４に記載の回路。
（付記８）
前記遅延回路は、１又はそれ以上のバッファと、該１又はそれ以上のバッファのうちの１つのバッファの出力部へ結合される少なくとも１つの可変キャパシタンスとを有し、
前記少なくとも１つの可変キャパシタンスは、前記１又はそれ以上のバッファの遅延を調整するように前記制御電圧に基づき調整されるよう構成される、
付記１に記載の回路。
（付記９）
前記第１クロック信号は、差動第１クロック信号であり、
前記マルチプレクサ信号は、差動マルチプレクサ信号である、
付記１に記載の回路。
（付記１０）
前記マルチプレクサ回路は第１マルチプレクサ回路であり、
当該回路は、
４入力２出力マルチプレクサであって、前記遅延された第２クロック信号に基づき第１及び第２の第２マルチプレクサ信号を出力するよう構成される第２マルチプレクサ回路と、
２入力１出力マルチプレクサであって、前記第２マルチプレクサ回路へ結合され、前記第１クロック信号に基づき、出力されるべき前記第１の又は前記第２の第２マルチプレクサ信号を選択するよう構成される第３マルチプレクサ回路と
を更に有する、
付記１に記載の回路。
（付記１１）
前記第１マルチプレクサ回路は、前記第２マルチプレクサ回路のレプリカである、
付記１０に記載の回路。
（付記１２）
前記マルチプレクサ信号を生成するよう前記遅延された第２クロック信号に基づき選択される前記第１マルチプレクサ回路への第１及び第２の入力は、論理ロー電圧及び論理ハイ電圧である、
付記１１に記載の回路。
（付記１３）
第１クロック信号の反転の位相とマルチプレクサ信号の位相との比較に基づき比較信号を生成し、
制御電圧を生成するよう前記比較信号を積分し、
前記第１クロック信号の分割されたバージョンである第２クロック信号を前記制御電圧に基づき遅延させ、
前記遅延された第２クロック信号に基づき前記マルチプレクサ信号のために論理ハイ状態又は論理ロー状態を選択する
方法。
（付記１４）
前記第２クロック信号を生成するよう前記第１クロック信号を分割する
付記１３に記載の方法。
（付記１５）
前記第１クロック信号は、２で割られる、
付記１４に記載の方法。
（付記１６）
前記制御電圧を第１閾電圧及び第２閾電圧と比較し、前記制御電圧は、該制御電圧が前記第１閾電圧よりも小さいか又は前記第２閾電圧よりも大きいことに応答して、前記比較信号に基づき生成される、
付記１３に記載の方法。
（付記１７）
前記制御電圧が前記第１閾電圧よりも小さいか又は前記第２閾電圧よりも大きいことに応答して、前記制御電圧を、供給電圧の略半分に設定する
付記１６に記載の方法。
（付記１８）
前記第２クロック信号を前記制御電圧に基づき遅延させることは、該第２クロック信号へ適用される遅延を調整するよう前記制御電圧を用いて可変キャパシタンスを調整することを含む、
付記１３に記載の方法。
（付記１９）
前記遅延された第２クロック信号を並直列変換回路における第１マルチプレクサ回路へ供給する
付記１３に記載の方法。
（付記２０）
前記マルチプレクサ信号のために前記論理ハイ状態又は前記論理ロー状態を選択することは、前記第１マルチプレクサ回路のレプリカである第２マルチプレクサ回路によって実行される、
付記１９に記載の方法。
【符号の説明】
【００９９】
１００，２００  回路
１１０，２１０  第１マルチプレクサ回路
１２０，２２０  第２マルチプレクサ回路
１３０，２３０  調整回路
２４０          分割器回路
２５０          位相検出器回路
２５４，４００  電荷ポンプ回路
２６２，６００  遅延回路
２７０，５００  初期化回路
２８０          第３マルチプレクサ回路
７００          方法
【図１】
0006561618.tif 000002
【図２】
0006561618.tif 000003
【図３】
0006561618.tif 000004
【図４】
0006561618.tif 000005
【図５】
0006561618.tif 000006
【図６】
0006561618.tif 000007
【図７】
0006561618.tif 000008